【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
複数の移動端末と、複数段の干渉除去受信回路を持つ干渉除去受信部を備える複数の基地局装置とから構成され、基地局装置内の各段の干渉除去受信回路が干渉除去処理を行う移動通信システムにおける基地局装置において、前記干渉除去受信部の前段の干渉除去受信回路によって干渉除去された受信信号を元に測定した信号対干渉電力比であるＳＩＲ値と後段の干渉除去受信回路によって干渉除去された受信信号のＳＩＲ値とに基づいて補正ＳＩＲ値を算出する手段と、算出された補正ＳＩＲ値に基づいて送信電力制御用ＳＩＲ値を推定する手段と、推定した送信電力制御用ＳＩＲ値を用いて送信電力制御信号を生成する手段と、移動端末の送信電力を制御するために、前記生成した送信電力制御信号を下りフレームに付加する送信電力制御手段とを備えることを特徴とする基地局装置。
【請求項２】
前記補正ＳＩＲ値は、後段の干渉除去受信回路によって干渉除去された受信信号のＳＩＲ値である後段ＳＩＲ値から前段の干渉除去受信回路によって干渉除去された受信信号のＳＩＲ値である前段ＳＩＲ値を減算することにより、あるいは、後段ＳＩＲ値から前段ＳＩＲ値を減算したものを特定周期で積分して平均化することにより算出した値であることを特徴とする請求項１記載の基地局装置。
【請求項３】
前記送信電力制御用ＳＩＲ値は、前段ＳＩＲ値から補正ＳＩＲ値を減ずることにより算出した値であることを特徴とする請求項１記載の基地局装置。
【請求項４】
前記送信電力制御信号は、送信電力制御用ＳＩＲ値と目標ＳＩＲ値とを比較した結果に基づいて作成した値であることを特徴とする請求項１、２または３記載の基地局装置。
【請求項５】
前記前段ＳＩＲ値は、前記複数段の干渉除去受信回路を持つ干渉除去受信部の初段から最終段の手前までのいずれか１つの干渉除去受信回路によって干渉除去された受信信号に基づいて測定されたＳＩＲ値であることを特徴とする請求項１ないし４のうちいずれか１記載の基地局装置。
【請求項６】
複数の移動端末と、複数段の干渉除去受信回路を持つ干渉除去受信部を備える複数の基地局装置とから構成され、基地局装置内の各段の干渉除去受信回路が干渉除去処理を行う移動通信システムにおける基地局装置において、前記干渉除去受信部の前段の干渉除去受信回路によって干渉除去された受信信号を元に測定した信号対干渉電力比であるＳＩＲ値と後段の干渉除去受信回路によって干渉除去された受信信号のＳＩＲ値とに基づいて補正ＳＩＲ値を算出する手段と、算出された補正ＳＩＲ値に基づいて補正目標ＳＩＲ値を推定する手段と、推定した補正目標ＳＩＲ値を用いて送信電力制御信号を生成する手段と、移動端末の送信電力を制御するために、前記生成した送信電力制御信号を下りフレームに付加する送信電力制御手段とを備えることを特徴とする基地局装置。
【請求項７】
前記補正ＳＩＲ値は、後段の干渉除去受信回路によって干渉除去された受信信号のＳＩＲ値である後段ＳＩＲ値から前段の干渉除去受信回路によって干渉除去された受信信号のＳＩＲ値である前段ＳＩＲ値を減算することにより、あるいは、後段ＳＩＲ値から前段ＳＩＲ値を減算したものを特定周期で積分して平均化することにより算出した値であることを特徴とする請求項６記載の基地局装置。
【請求項８】
前記補正目標ＳＩＲ値は、目標ＳＩＲ値から補正ＳＩＲ値を減算することにより算出した値であることを特徴とする請求項６または７記載の基地局装置。
【請求項９】
前記送信電力制御信号は、前段ＳＩＲ値と補正目標ＳＩＲ値とを比較し、その結果に基づいて作成することを特徴とする請求項６、７または８記載の基地局装置。
【請求項１０】
前記平均化する周期は、基地局装置と基地局制御局との間の送信電力制御周期より短いことを特徴とする請求項２または７記載の基地局装置。
【請求項１１】
複数の移動端末と、複数段の干渉除去受信回路を持つ干渉除去受信部を備える複数の基地局装置とから構成され、基地局装置内の各段の干渉除去受信回路が干渉除去処理を行う移動通信システムにおいて、前記基地局装置が、請求項１ないし１０のうちいずれか１記載の基地局装置であることを特徴とする移動通信システム。
【請求項１２】
複数の移動端末と、複数段の干渉除去受信回路を持つ干渉除去受信部を備える複数の基地局装置とから構成され、基地局装置内の各段の干渉除去受信回路が干渉除去処理を行う移動通信システムにおける基地局装置から移動端末の送信電力を制御する送信電力制御方法において、前記干渉除去受信部の前段の干渉除去受信回路によって干渉除去された受信信号を元に測定した信号対干渉電力比であるＳＩＲ値と後段の干渉除去受信回路によって干渉除去された受信信号のＳＩＲ値とにより補正ＳＩＲ値を算出し、算出された補正ＳＩＲ値に基づいて送信電力制御用ＳＩＲ値を推定し、推定した送信電力制御用ＳＩＲ値を用いて送信電力制御信号を生成して、生成した送信電力制御信号を下りフレームに付加することにより、移動端末の送信電力の制御を行うことを特徴とする送信電力制御方法。
【請求項１３】
前記補正ＳＩＲ値は、後段の干渉除去受信回路によって干渉除去された受信信号のＳＩＲ値である後段ＳＩＲ値から前段の干渉除去受信回路によって干渉除去された受信信号のＳＩＲ値である前段ＳＩＲ値を減算することにより、あるいは、後段ＳＩＲ値から前段ＳＩＲ値を減算したものを特定周期で積分して平均化することにより算出することを特徴とする請求項１２記載の送信電力制御方法。
【請求項１４】
前記送信電力制御用ＳＩＲ値は、前段ＳＩＲ値から補正ＳＩＲ値を減ずることにより算出することを特徴とする請求項１２または１３記載の送信電力制御方法。
【請求項１５】
前記送信電力制御信号は、送信電力制御用ＳＩＲ値と目標ＳＩＲ値とを比較した結果に基づいて作成することを特徴とする請求項１２、１３または１４記載の送信電力制御方法。
【請求項１６】
前記前段ＳＩＲ値は、前記複数段の干渉除去受信回路を持つ干渉除去受信部の初段から最終段の手前までのいずれか１つの干渉除去受信回路によって干渉除去された受信信号に基づいて測定されたＳＩＲ値であることを特徴とする請求項１２ないし１５のうちいずれか１記載の送信電力制御方法。
【請求項１７】
複数の移動端末と、複数段の干渉除去受信回路を持つ干渉除去受信部を備える複数の基地局装置とから構成され、基地局装置内の各段の干渉除去受信回路が干渉除去処理を行う移動通信システムにおける基地局装置から移動端末の送信電力を制御する送信電力制御方法において、前記干渉除去受信部の前段の干渉除去受信回路によって干渉除去された受信信号を元に測定した信号対干渉電力比であるＳＩＲ値と後段の干渉除去受信回路によって干渉除去された受信信号のＳＩＲ値とにより補正ＳＩＲ値を算出し、算出された補正ＳＩＲ値に基づいて補正目標ＳＩＲ値を推定し、推定した補正目標値を用いて送信電力制御信号を生成して、生成した送信電力制御信号を下りフレームに付加することにより、移動端末の送信電力の制御を行うことを特徴とする送信電力制御方法。
【請求項１８】
前記補正ＳＩＲ値は、後段の干渉除去受信回路によって干渉除去された受信信号のＳＩＲ値である後段ＳＩＲ値から前段の干渉除去受信回路によって干渉除去された受信信号のＳＩＲ値である前段ＳＩＲ値を減算することにより、あるいは、後段ＳＩＲ値から前段ＳＩＲ値を減算したものを特定周期で積分して平均化することにより算出するることを特徴とする請求項１７記載の送信電力制御方法。
【請求項１９】
前記補正目標ＳＩＲ値は、目標ＳＩＲ値から補正ＳＩＲ値を減算することにより算出することを特徴とする請求項１７または１８記載の送信電力制御方法。
【請求項２０】
前記送信電力制御信号は、前段ＳＩＲ値と補正目標ＳＩＲ値とを比較した結果に基づいて作成することを特徴とする請求項１７、１８または１９記載の送信電力制御方法。
【請求項２１】
複数の移動端末と、複数段の干渉除去受信回路を持つ干渉除去受信部を備える複数の基地局装置とから構成される移動通信システムにおける基地局装置から移動端末の送信電力を制御する送信電力制御方法において、前記干渉除去受信部のある段の干渉除去受信回路によって干渉除去された受信信号を元に測定した信号対干渉電力比であるＳＩＲ値と、それとは別のある段の干渉除去受信回路によって干渉除去された受信信号のＳＩＲ値とに基づいて移動端末の送信電力の制御を行うことを特徴とする送信電力制御方法。
【請求項２２】
複数の移動端末と、複数段の干渉除去受信回路を持つ干渉除去受信部を備える複数の基地局装置とから構成される移動通信システムにおける基地局装置から移動端末の送信電力を制御する送信電力制御方法において、前記干渉除去受信部のある段の干渉除去受信回路によって干渉除去された受信信号を元に測定した信号対干渉電力比であるＳＩＲ値と、それとは別のある段の干渉除去受信回路によって干渉除去された受信信号のＳＩＲ値とから補正ＳＩＲ値を算出し、算出された補正ＳＩＲ値に基づいて移動端末の送信電力の制御を行うことを特徴とする送信電力制御方法。